(57)【要約】      （修正有）【課題】光ケーブルを簡単に切断することができ、切断とほぼ同時に切断面の遮蔽処理を行うことができる光ケーブル切断工具を提供する。【解決手段】光ケーブル切断工具１０は、基台１００と、この基台に固定設置された静止部材１１０と、静止部材に対向した状態で基台上を平行移動可能な可動部材１２０と、可動部材又は静止部材に取り外し可能に装着され、光ケーブルを挿通させる溝と溝内に装着され光ケーブルを切断するための切断刃とを具備する第１の履着部材１７０と、静止部材又は可動部材に取り外し可能に装着され、可動部材の平行移動に伴って先端部が第１の履着部材の溝内に挿入されると共に溝内に挿通された光ケーブルを切断刃に向かって押圧する押圧片を具備する第２の履着部材１８０とを備えている。【選択図】図１
2018124308.tif 000002
【特許請求の範囲】
【請求項１】
基台と、前記基台に固定設置された静止部材と、前記静止部材に対向した状態で前記基台上を平行移動可能な可動部材と、前記可動部材又は前記静止部材に取り外し可能に装着され、光ケーブルを挿通させる溝と前記溝内に装着され前記光ケーブルを切断するための切断刃とを具備する第１の覆着部材と、前記静止部材又は前記可動部材に取り外し可能に装着され、前記可動部材の前記平行移動に伴って先端部が前記第１の履着部材の前記溝内に挿入されると共に前記溝内に挿通された前記光ケーブルを前記切断刃に向かって押圧する押圧片を具備する第２の履着部材とを備えており、
前記第１の履着部材及び前記第２の履着部材が前記光ケーブルを把持した状態で互いに嵌合して固着され、切断された前記光ケーブルの端面が前記第１の履着部材の前記切断刃によって遮蔽されるように構成されていることを特徴とする光ケーブル切断工具。
【請求項２】
前記第１の履着部材が、前記光ケーブルに食い込む突出部を前記溝の内部に備えていることを特徴とする請求項１に記載の光ケーブル切断工具。
【請求項３】
前記第２の履着部材が、前記第１の履着部材と嵌合して固定を行うための１対の係止爪を前記押圧片の両側に備えていることを特徴とする請求項１又は２に記載の光ケーブル切断工具。
【請求項４】
前記第１の履着部材が、前記第２の履着部材の前記１対の係止爪が係合する１対の凸条を前記押圧片の両側面にそれぞれ備えていることを特徴とする請求項３に記載の光ケーブル切断工具。
【請求項５】
前記第２の履着部材の前記押圧片が、前記第１の履着部材の前記切断刃に対応する位置で途切れる平板形状を有していることを特徴とする請求項１から４のいずれか１項に記載の光ケーブル切断工具。
【請求項６】
前記静止部材又は前記可動部材に装着され１つ若しくは１対の前記第１の履着部材を取り外し可能に支持する第１のクランプ部材と、前記可動部材又は前記静止部材に装着され１つ若しくは１対の前記第２の履着部材を取り外し可能に支持する第２のクランプ部材とをさらに備えていることを特徴とする請求項１から５のいずれか１項に記載の光ケーブル切断工具。
【請求項７】
前記第１のクランプ部材又は前記第２のクランプ部材が、前記平行移動方向に沿って伸長しており互いに嵌合及び摺動する１対の凸状案内部又は１対の凹状案内部を備えていることを特徴とする請求項６に記載の光ケーブル切断工具。
【請求項８】
先端部が前記可動部材に回動自在に取り付けられていると共に後端部に回動ノブが同軸に設けられており、前記平行移動方向に沿って伸長する中間部が前記基台に螺合している回転軸部材をさらに備えていることを特徴とする請求項１から７のいずれか１項に記載の光ケーブル切断工具。
【請求項９】
前記回転軸部材は、前記第１の履着部材と前記第２の履着部材とが嵌合する位置又はその先まで前記可動部材が前記基台上を平行移動した際に、前記基台との前記螺合が解除されるように構成されていることを特徴とする請求項８に記載の光ケーブル切断工具。
【発明の詳細な説明】
【技術分野】
【０００１】
本発明は、屋内に引き込み設置されている光ファイバケーブルを切断する際に使用する光ケーブル切断工具に関する。
【背景技術】
【０００２】
光ケーブル又は光ファイバの切断工具として、例えば特許文献１及び２に示すように、種々の切断工具が提案されている。
【０００３】
特許文献１には、光ファイバをその軸方向に移動不能に保持する保持部が形成されたファイバホルダと、このファイバホルダに対して、その保持された光ファイバを横断する方向に相対的に移動な第１及び第２の刃ホルダと、第１の刃ホルダに取り付けられ、この刃ホルダが光ファイバに向けて移動することにより、刃先が光ファイバを横断することでその光ファイバの不要部を切り落とす第１の刃と、第２の刃ホルダに取り付けられ、この刃ホルダが光ファイバに向けて移動することにより、刃先が第１の刃の刃先が当接した位置よりも保持部の保持端側に微小量だけ離間した位置で光ファイバを横断することで保持部に保持されている光ファイバの切断端部を離間距離分の厚さの薄片状に削ぎ落とす第２の刃とを備えた光ファイバ切断工具が記載されている。ファイバホルダには、それに保持された光ファイバの第２の刃が進入する部分の反対側において、光ファイバを挟んで第２の刃の刃先と対向する位置にテーパ状の段差面からなる逃げ代が設けられている。
【０００４】
特許文献２には、光ファイバが挿通されるガイド孔が形成されたガイド本体と、ガイド孔から外方に突出した光ファイバを切断する切断刃と、光ファイバの切断方向に対向して設けられ、刃先で光ファイバを支持する支持刃と、支持刃が配置された側に設けられてガイド本体を支持するガイド本体支持部とを具備する光ファイバ切断工具が記載されている。ガイド本体にはガイド面が形成され、このガイド面にはガイド孔の一方の開口部が形成されており、ガイド本体支持部の少なくとも開口部近傍には、ガイド面より内方に後退した逃げ部が形成されている。
【先行技術文献】
【特許文献】
【０００５】
【特許文献１】特許第３７１４８６７号公報
【特許文献２】特開２００４−３０６２０４号公報
【発明の概要】
【発明が解決しようとする課題】
【０００６】
特許文献１に記載の切断工具によれば、煩雑な作業を必要とすることなく良好な切断面となるように光ファイバを切断することができる。また、特許文献２に記載の切断工具によれば、切断刃の耐久性が確保され、平滑性のよい端面加工が可能であり、加工回数が多くなっても切断面の平滑性が低下せず、小型で作業性に優れ、しかも屋外等の敷設現場で使用できる。
【０００７】
これら特許文献１及び２に記載された切断工具は、いずれも、光ケーブルに関する施工を行う専門業者が、その終端処理等を行う際に使用するものであり、平滑性に優れた端面加工を簡易に行うために用いられる。
【０００８】
近年、光ケーブルの切断処理を、専門業者ではなくユーザ自らが行う場合がある。例えば、ユーザが光回線サービスを解約した際又は引越しをする際等には、出張費用の発生する専門業者による切断処理ではなく、ユーザ自身によって光ケーブルの切断処理を行うことが望ましい。この場合、ユーザは、光回線終端装置（ＯＮＵ）の手前（回線側）で光ケーブルを切断し、取り外したＯＮＵを光回線サービス業者へ返送する。
【０００９】
しかしながら、ＯＮＵの手前で光ケーブルを切断すると、回線側の切断端面から通信光が放射されてしまうので、その光放射を遮断する処理を切断後に、望ましくは切断と同時に行う必要がある。さもないと、放射光が作業者の目に入射されるという不測の事態が発生しかねない。
【００１０】
従って本発明は、ユーザが光ケーブルを切断する場合に使用して好適な光ケーブル切断工具を提供するものであり、その目的は、光ケーブルを簡単にかつ短時間で切断することができ、しかも、その切断とほぼ同時に切断面の遮蔽処理を行うことができる光ケーブル切断工具を提供することにある。
【課題を解決するための手段】
【００１１】
本発明によれば、光ケーブル切断工具は、基台と、この基台に固定設置された静止部材と、静止部材に対向した状態で基台上を平行移動可能な可動部材と、可動部材又は静止部材に取り外し可能に装着され、光ケーブルを挿通させる溝と溝内に装着され光ケーブルを切断するための切断刃とを具備する第１の履着部材と、静止部材又は可動部材に取り外し可能に装着され、可動部材の平行移動に伴って先端部が第１の履着部材の溝内に挿入されると共に溝内に挿通された光ケーブルを切断刃に向かって押圧する押圧片を具備する第２の履着部材とを備えている。第１の履着部材及び第２の履着部材が光ケーブルを把持した状態で互いに嵌合して固着され、切断された光ケーブルの端面が第１の履着部材の切断刃によって遮蔽されるように構成されている。
【００１２】
切断すべき光ケーブルを第１の履着部材の溝内に挿通させ、可動部材を静止部材に向けて平行移動させることにより、この可動部材の平行移動に伴って第２の履着部材の押圧片の先端部が第１の履着部材の溝内に挿入され、さらに、切断刃に向かって光ケーブルを押圧する。これにより、切断刃によって光ケーブルが切断され、第１の履着部材及び第２の履着部材が光ケーブルを把持した状態で互いに嵌合して固着される。さらに、切断された光ケーブルの端面が切断刃によって遮蔽される。このように、可動部材の平行移動のみで、光ケーブルを切断することができ、その切断と同時に切断刃により切断面の遮蔽（遮光）処理が行われるので、専門業者ではないユーザが簡単にかつ短時間で光ケーブルの切断処理を行うことができ、しかも、その際に、光ケーブルの切断端面から信号光が放射されてしまうような不都合発生も確実に防止することができる。
【００１３】
第１の履着部材が、光ケーブルに食い込む突出部を溝の内部に備えていることが好ましい。このような突出部を設けることにより、光ケーブルを履着部材に確実に固定することが可能となる。
【００１４】
第２の履着部材が、第１の履着部材と嵌合して固定を行うための１対の係止爪を押圧片の両側に備えていることも好ましい。
【００１５】
この場合、第１の履着部材が、第２の履着部材の１対の係止爪が係合する１対の凸条を押圧片の両側面にそれぞれ備えていることが好ましい。このような１対の係止爪と１対の凸条とを設けて両者を係合させることにより、第１の履着部材及び第２の履着部材同士が確実に固定される。
【００１６】
第２の履着部材の押圧片が、第１の履着部材の切断刃に対応する位置で途切れる平板形状を有していることも好ましい。
【００１７】
静止部材又は可動部材に装着され１つ若しくは１対の第１の履着部材を取り外し可能に支持する第１のクランプ部材と、可動部材又は静止部材に装着され１つ若しくは１対の第２の履着部材を取り外し可能に支持する第２のクランプ部材とをさらに備えていることも好ましい。第１のクランプ部材が１対の第１の履着部材を支持し、第２のクランプ部材が１対の第２の履着部材を支持するように構成することにより、第１の履着部材及び第２の履着部材が嵌合して固定されてなる履着部材が切断した光ケーブルの両方の切断端部に取り付けられるため、切断時に光ケーブル切断工具の方向性を考慮する必要が無くなり、処理が容易となる。
【００１８】
この場合、第１のクランプ部材又は第２のクランプ部材が、平行移動方向に沿って伸長しており互いに嵌合及び摺動する１対の凸状案内部又は１対の凹状案内部を備えていることが好ましい。これら１対の凸状案内部と１対の凹状案内部とにより、第１のクランプ部材又は第２のクランプ部材が互いに案内されて嵌合を確実に行うことができる。
【００１９】
先端部が可動部材に回動自在に取り付けられていると共に後端部に回動ノブが同軸に設けられており、平行移動方向に沿って伸長する中間部が基台に螺合している回転軸部材をさらに備えていることも好ましい。基台に螺合している回転軸部材を回転させて可動部材を平行移動させているため、光ケーブルの切断を小さな力で簡単に行うことができる。
【００２０】
この場合、回転軸部材は、第１の履着部材と第２の履着部材とが嵌合する位置又はその先まで可動部材が基台上を平行移動した際に、基台との上述した螺合が解除されるように構成されていることがより好ましい。
【発明の効果】
【００２１】
本発明によれば、可動部材の平行移動のみで、光ケーブルを切断することができ、その切断と同時に切断刃により切断面の遮蔽（遮光）処理が行われるので、専門業者ではないユーザが簡単にかつ短時間で光ケーブルの切断処理を行うことができ、しかも、その際に、光ケーブルの切断端面から信号光が放射されてしまうような不都合発生も確実に防止することができる。
【図面の簡単な説明】
【００２２】
【図１】本発明の光ケーブル切断工具の一実施形態における全体構成を概略的に示す斜め上方から見た斜視図である。
【図２】図１の光ケーブル切断工具を斜め下方から見た斜視図である。
【図３】図１の光ケーブル切断工具を正面から見た正面図である。
【図４】図１の光ケーブル切断工具を側面から見た側面図である。
【図５】図１の光ケーブル切断工具における基台及び静止部材の構成を概略的に示す斜視図である。
【図６】図１の光ケーブル切断工具における可動部材の構成を概略的に示す斜視図である。
【図７】図１の光ケーブル切断工具における回転軸部材及び回動ノブの構成を概略的に示す斜視図である。
【図８】図１の光ケーブル切断工具における第１のクランプ部材の構成を概略的に示す斜視図である。
【図９】図１の光ケーブル切断工具における第２のクランプ部材の構成を概略的に示す斜視図である。
【図１０】図１の光ケーブル切断工具における第１のキャップ部材の構成を概略的に示す斜視図である。
【図１１】図１の光ケーブル切断工具における第１のキャップ部材の構成を概略的に示す斜視図である。
【図１２】図１の光ケーブル切断工具におけるカッターの構成を概略的に示す斜視図である。
【図１３】図１の光ケーブル切断工具における第２のキャップ部材の構成を概略的に示す斜視図である。
【図１４】図１の光ケーブル切断工具における前面パネルの構成を概略的に示す斜視図である。
【図１５】図１の光ケーブル切断工具による光ケーブル切断処理を説明する斜視図である。
【図１６】図１の光ケーブル切断工具による光ケーブル切断処理を説明する斜視図である。
【図１７】図１の光ケーブル切断工具による光ケーブル切断処理を説明する斜視図である。
【図１８】図１の光ケーブル切断工具による光ケーブル切断処理を説明する斜視図である。
【発明を実施するための形態】
【００２３】
図１は本発明の光ケーブル切断工具の一実施形態における全体構成を概略的に示すべく斜め上方から見た図であり、図２はこの光ケーブル切断工具を斜め下方から見た図であり、図３はこの光ケーブル切断工具を正面から見た図であり、図４はこの光ケーブル切断工具を側面から見た図であり、図５はこの光ケーブル切断工具における基台及び静止部材の構成を概略的に示しており、図６はこの光ケーブル切断工具における可動部材の構成を概略的に示しており、図７はこの光ケーブル切断工具における回転軸部材及び回動ノブの構成を概略的に示しており、図８はこの光ケーブル切断工具における第１のクランプ部材の構成を概略的に示しており、図９この光ケーブル切断工具における第２のクランプ部材の構成を概略的に示しており、図１０及び図１１はこの光ケーブル切断工具における第１のキャップ部材の構成を概略的に示しており、図１２はこの光ケーブル切断工具におけるカッターの構成を概略的に示しており、図１３はこの光ケーブル切断工具における第２のキャップ部材の構成を概略的に示しており、図１４はこの光ケーブル切断工具における前面パネルの構成を概略的に示している。なお、図９に示した第２のクランプ部材及び図１３に示した第２のキャップ部材は、光ケーブル切断工具として実際に組み付けられる場合は、図示のものと上下逆となる。
【００２４】
本実施形態の光ケーブル切断工具１０は、光ケーブル１１を切断して切断端部にキャップ１２を被着するための工具であり、図１〜図４に示すように、基台１００と、この基台１００に固定設置された静止部材１１０と、可動部材１２０と、可動部材１２０を平行移動させるための回転軸部材１３０及び回動ノブ１４０と、静止部材１１０の（図にて）上面１１に設置された第１のクランプ部材１５０と、可動部材１２０の（図にて）下面１２４に設置された第２のクランプ部材１６０と、第１のクランプ部材１５０に取り付けられた本実施形態では１対の第１のキャップ部材（本発明の第１の履着部材に対応）１７０と、第２のクランプ部材１６０に取り付けられた本実施形態では１対の第２のキャップ部材（本発明の第２の履着部材に対応）１８０とから主として構成されている。
【００２５】
図５に示すように、基台１００は、回転軸部材１３０の中間に形成された雄ねじ部が螺合して挿通する雌ねじ孔１０１を備えた支持部１０２を（図にて）上部に有しており、この基台１００と一体形成された静止部材１１０を（図にて）下部に有している。これら支持部１０２と静止部材１１０とを連結する本体１０３には、可動部材１２０の１対の摺動爪１２３（図６参照）がそれぞれ挿入され（図にて）上下に摺動して案内される１対の案内溝１０４が上下方向に沿って形成されている。静止部材１１０の上面１１１は可動部材１２０の下面１２４と平行でありかつ対向して形成されており、この上面１１１の（図にて）左右の縁端には第１のクランプ部材１５０の（図８にて）底部の左右側面から突出する１対の鍔部１５４に係合してこの第１のクランプ部材１５０を（図にて）前後方向に案内する２対の係止部１１２が設けられている。本実施形態において、これら基台１００及び静止部材１１０は、例えばＡＢＳ等の樹脂材料により一体成型で形成されている。
【００２６】
図６に示すように、可動部材１２０は、本体１２１と、この本体１２１の中央部に形成され回転軸部材１３０の先端部が回動自在に取り付けられる貫通孔１２２と、本体１２１の（図にて）後側面（背面）に設けられた１対の摺動爪１２３とを有している。可動部材１２０の下面１２４は静止部材１１０の上面１１１と平行となるように形成されており、この下面１２４の左右縁端には第２のクランプ部材１６０の（図９にて）底部の左右側面から突出する１対の鍔部１６３に係合してこの第２のクランプ部材１６０を（図にて）前後方向に案内する２対の係止部１２５が設けられている。本実施形態において、この可動部材１２０は、例えばＡＢＳ等の樹脂材料により一体成型で形成されている。
【００２７】
図７に示すように、回転軸部材１３０は、その後端部（図にて上端部）が回動ノブ１４０に同軸に固着されており、中間部に基台１００の雌ねじ孔１０１に挿通して螺合する雄ねじ部１３１が設けられている。この雄ねじ部１３１は、回転軸部材１３０が回転して光ケーブル１１が切断され、さらに第１のキャップ部材１７０及び第２のキャップ部材１８０が嵌合して固着される位置まで、又は第１のキャップ部材１７０及び第２のキャップ部材１８０の撓みを利用し、これら第１のキャップ部材１７０及び第２のキャップ部材１８０嵌合した後に多少進んだその先の位置まで、可動部材１２０が平行移動した際に、基台１００の雌ねじ孔１０１から外れ、その後は回転軸部材１３０が空転するような、長さ及び位置に設定されている。回転軸部材１３０の先端部（図にて下端部）１３２は、可動部材１２０の貫通孔１２２内に挿入され、この可動部材１２０に対して回動自在に取り付けられる。本実施形態において、これら回転軸部材１３０及び回動ノブ１４０は、例えばＡＢＳ等の樹脂材料により一体成型で形成されている。
【００２８】
回動ノブ１４０を、従って回転軸部材１３０を、軸回転させることにより、可動部材１２０は、静止部材１１０の上面１１１にその下面１２４が平行に対向した状態で、この回転軸部材１３０の軸方向に沿って平行移動する。
【００２９】
静止部材１１０の上面１１１には、第１のクランプ部材１５０が取り外し可能に取り付けられる。図８に示すように、第１のクランプ部材１５０は、本体１５１と、本体１５１から離れる方向（図にて上方向）に伸長している１対の凸状案内部１５２と、１対の第１のキャップ部材１７０が摺動挿入され取り外し可能にスナップ嵌めされる１対の取り付け部１５３と、底部の左右側面から突出する１対の鍔部１５４とを備えている。この１対の鍔部１５４が静止部材１１０の２対の係止部１１２に係合して案内されることにより、第１のクランプ部材１５０が静止部材１１０に装着され、さらに、図１４に示すような前面パネル１９０がこの静止部材１１０に装着され、その係合爪１９１が静止部材１１０の側面に係り止めされることにより、第１のクランプ部材１５０が静止部材１１０に固定される。この第１のクランプ部材１５０は、例えばポリカーボネート等の樹脂材料により一体成型で形成されている。
【００３０】
可動部材１２０の下面１２４には、第２のクランプ部材１６０が取り外し可能に取り付けられる。図９に示すように、第２のクランプ部材１６０は、本体１６１と、本体１６１から離れる方向（図にて上方向）に伸長しており、可動部材１２０の平行移動に伴って第１のクランプ部材１５０の１対の凸状案内部１５２とそれぞれ嵌合及び摺動する１対の凹状案内部１６２と、１対の第２のキャップ部材１８０が摺動挿入され取り外し可能にスナップ嵌めされる１対の取り付け部１６３と、底部の左右側面から突出する１対の鍔部１６４とを備えている。なお、第２のクランプ部材１６０は、図９に示した状態とは逆向きに組み付けられる。第２のクランプ部材１６０の１対の鍔部１６４が可動部材１２０の２対の係止部１２５に係合して案内されることにより、第２のクランプ部材１６０が可動部材１２０に装着され、さらに、図１４に示すような前面パネル１９０がこの可動部材１２０に装着され、その係合爪１９１が可動部材１２０の側面に係り止めされることにより、第２のクランプ部材１６０が可動部材１２０に固定される。この第２のクランプ部材１６０は、例えばポリカーボネート等の樹脂材料により一体成型で形成されている。
【００３１】
１対の第１のキャップ部材（本発明の第１の履着部材に対応）１７０が第１のクランプ部材１５０の１対の取り付け部１５３の図示しない係止部に摺動挿入され取り外し可能にスナップ嵌めされている。第１のキャップ部材１７０の各々は、図１０及び図１１に示すように、本体１７１と、この本体１７１に設けられ、光ケーブル１１を挿通させるための溝１７２と、溝１７２内にこの溝１７２を横断する方向に装着された、光ケーブル１１を切断するためのカッター（本発明の切断刃に対応）１７３（図１２参照、図１０及び図１１には示されていない）と、カッター１７３が嵌め込まれるカッター溝１７４と、溝１７２内の下方側壁から突出し光ケーブル１１に食い込んでこの光ケーブル１１を溝１７２内に固着する複数の突出部１７５と、第２のキャップ部材１８０の１対の係止爪１８５が嵌合する１対の凸条１７６と、底部の左右側面から突出する１対の鍔部１７７とを備えている。この第１のキャップ部材１７０は、例えばポリカーボネート等の樹脂材料により一体成型で形成されている。
【００３２】
１対の第２のキャップ部材（本発明の第２の履着部材に対応）１８０が第２のクランプ部材１６０の１対の取り付け部１６３の図示しない係止部に摺動挿入され取り外し可能にスナップ嵌めされている。第２のキャップ部材１８０の各々は、図１３に示すように、本体１８１と、この本体１８１に設けられ、可動部材１２０の移動により第１のキャップ部材１７０の溝１７２内に挿入されその先端部が光ケーブル１１をカッター１７３に向かって押圧する平板形状の押圧片１８２と、カッター１７３に対応する位置で途切れるようにこの押圧片１８２に形成された切り込み１８３と、押圧片１８２における平行移動方向と直交する方向の両側に形成され、先端が１対の係止爪１８５を構成する１対の可撓性のアーム部材１８４と、底部の左右側面から突出する１対の鍔部１８６とを備えている。１対の係止爪１８５は第１のキャップ部材１７０の１対の凸条１７６と嵌合し、これにより第１のキャップ部材１７０及び第２のキャップ部材１８０が光ケーブル１１′の切断端部を把持した状態で互いに嵌合して固着されてキャップ１２となる（図１８参照）。この場合に、切断された光ケーブル１１′の端面は第１のキャップ部材１７０のカッター１７３によって遮蔽（遮光）される。第２のキャップ部材１８０には、カッター１７３に対応する位置で押圧片１７２が途切れるように切り込み１８３が設けられているため、カッター１７３による光ケーブル１１の切断を確実に行うことができる。この第２のキャップ部材１８０は、例えばポリカーボネート等の樹脂材料により一体成型で形成されている。
【００３３】
図１５〜図１８は、図１の光ケーブル切断工具による光ケーブル切断処理を説明している。以下、これらの図を参照して本実施形態における光ケーブル１１の切断処理を説明する。
【００３４】
例えば、光回線サービスを解約したか又は引越しをするため、ユーザが、光ケーブルをＯＮＵの手前（回線側）で切断する場合を想定する。
【００３５】
切断処理は、まず、図１５に示すように、本実施形態の光ケーブル切断工具１０における１対の第１のキャップ部材１７０の溝１７２内に光ケーブル１１を挿入する。次いで、図１６に示すように、回動ノブ１４０を回して可動部材１２０を静止部材１１方向に平行移動させ、１対の第２のキャップ部材１８０の押圧片１８２の先端により溝１７２内の光ケーブル１１を押圧する。
【００３６】
次いで、図１７に示すように、回転軸部材１３０が空転するまで回動ノブ１４０をさらに回転させる。これにより、各カッター１７３により光ケーブル１１が切断され、１対の第１のキャップ部材１７０と１対の第２のキャップ部材１８０とがそれぞれ嵌合して固定され、１対のキャップ１２となる。その際に、各カッター１７３によって切断された光ケーブル１１の切断面が遮蔽（遮光）される。その後、切断された光ケーブル１１′を光ケーブル切断工具１０から引き抜けば、図１８に示すように、切断端面部にキャップ１２が固着された光ケーブル１１′が得られる。得られたＯＮＵと、切断端面にキャップ１２が装着された光ケーブル１１′とを光回線サービス業者に返送する。
【００３７】
このように、本実施形態の光ケーブル切断工具１０を使用すれば、切断と同時にカッター１７３により切断面の遮蔽（遮光）処理が行われるので、専門業者ではないユーザが簡単にかつ短時間で光ケーブル１０の切断処理を行うことができる。ユーザが簡単に、安全にかつ確実に切断処理できるので、専門業者に切断を依頼するよりも、安価にかつ短期間に処理が可能となる。しかも、切断の際に、光ケーブル１０の切断端面から信号光が放射されてしまうような不都合発生も確実に防止することができる。
【００３８】
また、本実施形態の光ケーブル切断工具１０によれば、切断した光ケーブル１１′の両方の切断部にキャップ１２が装着されるように構成されているため、切断時に工具の方向性を考慮する必要が無いため、より容易に切断処理を行うことができる。
【００３９】
さらに、本実施形態の光ケーブル切断工具１０によれば、回動ノブ１４０を回転させることにより小さな力で簡単に光ケーブルの切断を行うことができ、しかも、第１のキャップ部材１７０及び第２のキャップ部材１８０が嵌合して固着されて回転軸部材１３０が空転するまで回動ノブ１４０を回転させれば良いため、切断処理が完了したか否かの判断が容易であって作業が簡単であると共に、回し過ぎを未然に防止することもできる。
【００４０】
以上述べた実施形態では、１対の第１のキャップ部材及び第２のキャップ部材を使用しているが、工具の方向性を慎重に判断すれば、単一の第１のキャップ部材及び第２のキャップ部材を使用しても良い。また、各部材を樹脂材料で一体成型しているが、必ずしも一体成型で形成する必要は無く、さらに、樹脂材料以外の例えば金属材料を使用して形成しても良い。
【００４１】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４２】
１０  光ケーブル切断工具
１１、１１′  光ケーブル
１２  キャップ
１００  基台
１０１  雌ねじ孔
１０２  支持部
１０３、１２１、１５１、１６１、１７１、１８１  本体
１０４  案内溝
１１０  静止部材
１１１  上面
１１２、１２５  係止部
１２０  可動部材
１２２  貫通孔
１２３  摺動爪
１２４  下面
１３０  回転軸部材
１３１  雄ねじ部
１３２  先端部
１４０  回動ノブ
１５０  第１のクランプ部材
１５２  凸状案内部
１５３、１６３  取り付け部
１５４、１６４、１７７、１８６  鍔部
１６０  第２のクランプ部材
１６２  凹状案内部
１７０  第１のキャップ部材
１７２  溝
１７３  カッター
１７４  カッター溝
１７５  突出部
１７６  凸条
１８０  第２のキャップ部材
１８２  押圧片
１８３  切り込み
１８４  アーム部材
１８５、１９１  係止爪
１９０  パネル
【図１】
2018124308.tif 000003
【図２】
2018124308.tif 000004
【図３】
2018124308.tif 000005
【図４】
2018124308.tif 000006
【図５】
2018124308.tif 000007
【図６】
2018124308.tif 000008
【図７】
2018124308.tif 000009
【図８】
2018124308.tif 000010
【図９】
2018124308.tif 000011
【図１０】
2018124308.tif 000012
【図１１】
2018124308.tif 000013
【図１２】
2018124308.tif 000014
【図１３】
2018124308.tif 000015
【図１４】
2018124308.tif 000016
【図１５】
2018124308.tif 000017
【図１６】
2018124308.tif 000018
【図１７】
2018124308.tif 000019
【図１８】
2018124308.tif 000020